(57)【要約】【課題】  ＰＥＴ撮影装置を利用して断層撮影を行う場合に適切に受診者を誘導することが可能な検診管理システムを提供すること。【解決手段】  この検診管理システム１０は、予定情報格納部１５２に格納されている予定情報と実績情報格納部１５１に格納されている実績情報とを比較した結果に基づいて予定情報を変更する予定変更部１０４と、予定情報格納部１５２に格納されている予定情報に基づいて処置室端末２０５又はベッド端末２０６〜２１７に対して送信する所定の指示情報を作成する指示作成部１０５と、当該作成した指示情報を処置室端末２０５又はベッド端末２０６〜２１７に対して送信する送信部１０６と、を備える。【選択図】  図２
2005092458.tif 000002
【特許請求の範囲】
【請求項１】
複数の受診者に対して陽電子放出型断層撮影装置を利用して順次断層撮影を行う際に、前記複数の受診者に薬剤を投与する処置領域に配置されている第一の端末と、当該薬剤が投与された受診者が待機する安静領域に配置されている第二の端末とにそれぞれ所定の情報を送信する検診管理システムであって、
前記複数の受診者それぞれが、前記処置領域において薬剤の投与を受ける予定を示す第一予定時間帯と、前記安静領域において安静にする予定を示す第二予定時間帯と、前記陽電子放出型断層撮影装置において断層撮影を行う予定を示す第三予定時間帯と、を関連付けて予定情報として格納する予定情報格納手段と、
前記複数の検診者それぞれが、前記処置領域において薬剤の投与を受けた実績を示す第一実績時間帯と、前記安静領域において安静にした実績を示す第二実績時間帯と、前記陽電子放出型断層撮影装置において断層撮影を行った実績を示す第三実績時間帯と、を関連付けて実績情報として格納する実績情報格納手段と、
前記予定情報と前記実績情報とを比較した結果に基づいて、前記予定情報を変更する予定変更手段と、
前記予定情報に基づいて前記第一の端末又は前記第二の端末に対して送信する所定の指示情報を作成する指示作成手段と、
当該作成した指示情報を前記第一の端末又は前記第二の端末に対して送信する指示送信手段と、
を備える検診管理システム。
【請求項２】
前記断層撮影を受けようとする受診者に関する受診者情報を受け付ける受付手段と、
当該受け付けた検診者情報に基づいて、受診者それぞれに対して順次断層撮影を行うことができるように前記予定情報を作成する予定作成手段と、を備え、
前記第三予定時間帯よりも前記第二予定時間帯が長く設定されている場合には、前記予定作成手段は、新たに受け付けた受診者の第三予定時間帯の始端が前記予定情報格納手段に格納されている最も遅い第三予定時間帯の終端に対応するように、当該新たな受診者の予定情報を作成する、請求項１に記載の検診管理システム。
【請求項３】
前記陽電子放出型断層撮影装置の撮影進捗状況を取得する第三の端末から送信される当該取得した撮影進捗状況に基づいて前記第三実績時間帯を、前記第一の端末から送信される前記複数の受診者ごとの薬剤投与状況に基づいて前記第一実績時間帯及び前記第二実績時間帯を、それぞれ特定して前記実績情報格納手段に格納する実績作成手段を備え、
前記第三実績時間帯が、対応する受診者の第三予定時間帯よりも長くなった場合に、
前記予定変更手段は、
既に第一実績時間帯又は第二実績時間帯が前記実績情報格納手段に格納されている受診者の場合には、当該格納されている受診者に対応する第二予定時間帯の終端を、当該長くなった第三実績時間帯に対応するように前記予定情報を変更し、
第一実績時間帯が未だ前記実績情報格納手段に格納されていない受診者の場合には、当該格納されていない受診者に対応する第二予定時間帯の終端が当該長くなった第三実績時間帯に対応するように、当該格納されていない受診者に対応する第一予定時間帯の始端をずらして前記予定情報を変更する、請求項１又は２に記載の検診管理システム。
【請求項４】
前記実績作成手段は、前記第一実績時間帯の終端を前記第二実績時間帯の始端とし、前記指示作成手段が前記第二の端末に送信する所定の情報を作成するまでの間、単位時間ごとに前記第二実績時間帯の終端をずらして前記実績情報を更新する、請求項３に記載の検診管理システム。
【請求項５】
前記陽電子放出型断層撮影装置が複数用いられ、前記複数の受診者に対して当該複数の陽電子放出型断層撮影装置のいずれかを利用して順次断層撮影を行う場合であって、
前記第三予定時間帯は、前記複数の陽電子放出型断層撮影装置のいずれかにおいて断層撮影を行う予定を示し、前記第三実績時間帯は、前記複数の陽電子放出型断層撮影装置のいずれかにおいて断層撮影を行った実績を示す場合において、
前記予定変更手段は、前記予定情報と前記実績情報とを比較した結果に基づいて、前記受診者が対応する第三予定時間帯が示す陽電子放出型断層撮影装置を用いるよりも、他の陽電子放出型断層撮影装置を用いるほうが早く撮影終了するかどうかを判断し、当該判断の結果に基づいて前記予定情報を変更する、請求項１に記載の検診管理システム。
【請求項６】
前記予定情報格納手段には、前記複数の陽電子放出型断層撮影装置のそれぞれに対してどの受診者をどの時間帯で撮影する予定であるかを示す待ち行列情報が予定情報として格納されており、
前記予定変更手段が前記予定情報と前記実績情報とを比較した結果、前記複数の陽電子放出型断層撮影装置の内の一の陽電子放出型断層撮影装置の撮影に遅延が生じていると判断した場合に、
前記予定変更手段は、
当該遅延が生じた一の陽電子放出型断層撮影装置においてその後に断層撮影を行う受診者の撮影終了予定時刻、当該その後に断層撮影を行う受診者を他の陽電子放出型断層撮影装置の待ち行列に加えた場合の撮影終了予定時刻、のそれぞれを算出し、
当該算出したそれぞれの撮影終了予定時刻に基づいて、当該その後に断層撮影を行う受診者の撮影終了時刻が最も早くなるように前記予定情報を変更する、請求項５に記載の検診管理システム。
【請求項７】
前記予定情報格納手段には、前記複数の陽電子放出型断層撮影装置のそれぞれに対してどの受診者をどの時間帯で撮影する予定であるかを示す待ち行列情報が予定情報として格納されており、
前記陽電子放出型断層撮影装置の撮影進捗状況を取得する第三の端末から送信される当該撮影進捗状況に基づいて、前記陽電子放出型断層撮影装置が故障したかどうかを示す故障情報を作成して前記実績情報格納手段に格納する実績作成手段を備え、
前記予定変更手段が前記故障情報に基づいて、前記複数の陽電子放出型断層撮影装置の内の一の陽電子放出型断層撮影装置が故障していると判断した場合に、
前記予定変更手段は、
当該故障した一の陽電子放出型断層撮影装置においてその後に断層撮影を行う受診者を他の陽電子放出型断層撮影装置の待ち行列に加えて前記予定情報を変更する、請求項５に記載の検診管理システム。
【請求項８】
前記予定変更手段は、
既に第一実績時間帯又は第二実績時間帯が前記実績情報格納手段に格納されている受診者が、故障していない陽電子放出型断層撮影装置において順次断層撮影可能なようにそれぞれの第三予定時間帯を再設定し、
当該再設定した第三予定時間帯に応じて既に第一実績時間帯又は第二実績時間帯が前記実績情報格納手段に格納されている受診者それぞれの第二予定時間帯を再設定し、
未だ第一実績時間帯が前記実績情報格納手段に格納されていない受診者の第三予定時間帯を、既に第一実績時間帯又は第二実績時間帯が前記実績情報格納手段に格納されている受診者の再設定された第三予定時間帯の後になるように再設定し、
当該再設定した第三予定時間帯に応じて未だ第一実績時間帯が前記実績情報格納手段に格納されていない受診者それぞれの第二予定時間帯を再設定する、請求項７に記載の検診管理システム。
【発明の詳細な説明】
【技術分野】
【０００１】
本発明は、検診管理システムに関する。
【背景技術】
【０００２】
病院において患者が迷わないように診察場所や検査場所へ案内する患者案内システムが提案されている（例えば、下記特許文献１参照。）。
【特許文献１】特開２００２−１２３６０３号公報
【発明の開示】
【発明が解決しようとする課題】
【０００３】
上記患者案内システムでは、処理待ち順に患者が登録されている患者案内データベースに基づいて患者を案内している。また、その患者案内データベースは各患者の処理状況に応じて更新されるものである。ここで、処理状況に応じてとは、各患者に所定の検査等を行った場合に待ち情報から削除することを示している。
【０００４】
ところで、陽電子放出型断層撮影装置を利用して断層撮影を行う場合には、静脈注射でＦＤＧを投与してから一定時間後に断層撮影を行う必要がある。より具体的には、このＦＤＧ（１８Ｆ−２−ｆｌｕｏｒｏ−２−ｄｅｏｘｙ−Ｄ−ｇｌｕｃｏｓｅ）とは、放射性同位元素Ｆ１８をＤ−グルコースに標識した物質であり、この物質を体内に投与し外部から計測することで糖代謝を画像化し、形態診断ではなく機能診断を行う。体が糖を代謝しターゲット臓器又は腫瘤が十分に糖を取り込むためには一定以上の時間が必要である。また、ＦＤＧを用いたＰＥＴは極めて定量性が高いため一定時間を患者（受診者）相互で揃えると絶対的な比較が可能となる。しかしながら、上記患者案内システムでは、このような場面において適切に患者（受診者）を案内することができなかった。
【０００５】
そこで本発明では、陽電子放出型断層撮影装置を利用して断層撮影を行う場合に適切に受診者を誘導することが可能な検診管理システムを提供することを課題とする。
【課題を解決するための手段】
【０００６】
本発明の検診管理システムは、複数の受診者に対して陽電子放出型断層撮影装置を利用して順次断層撮影を行う際に、複数の受診者に薬剤を投与する処置領域に配置されている第一の端末と、当該薬剤が投与された受診者が待機する安静領域に配置されている第二の端末とにそれぞれ所定の情報を送信する検診管理システムであって、（１）複数の受診者それぞれが、処置領域において薬剤の投与を受ける予定を示す第一予定時間帯と、安静領域において安静にする予定を示す第二予定時間帯と、陽電子放出型断層撮影装置において断層撮影を行う予定を示す第三予定時間帯と、を関連付けて予定情報として格納する予定情報格納手段と、（２）複数の検診者それぞれが、処置領域において薬剤の投与を受けた実績を示す第一実績時間帯と、安静領域において安静にした実績を示す第二実績時間帯と、陽電子放出型断層撮影装置において断層撮影を行った実績を示す第三実績時間帯と、を関連付けて実績情報として格納する実績情報格納手段と、（３）予定情報と実績情報とを比較した結果に基づいて、予定情報を変更する予定変更手段と、（４）予定情報に基づいて第一の端末又は第二の端末に対して送信する所定の指示情報を作成する指示作成手段と、（５）当該作成した指示情報を第一の端末又は第二の端末に対して送信する指示送信手段と、を備える。
【０００７】
本発明の検診管理システムによれば、予定情報に基づいて指示情報を作成し、その作成した指示情報を第一の端末又は第二の端末に送信するので、処置領域又は安静領域にいる受診者に適切に指示を伝達できる。また、予定情報を実績情報とを比較した結果に基づいて予定情報を変更するので、実績情報と予定情報との乖離に応じて予定情報を適正化できる。薬剤を投与された受診者が待機する安静領域に配置された第二の端末に指示情報を送信するので、例えば、検診スタッフが受診者に近寄ることなく指示情報を伝達することもできる。このようにすれば、検診スタッフの二次被爆をできる限り避けることができる。
【０００８】
また本発明の検診管理システムでは、断層撮影を受けようとする受診者に関する受診者情報を受け付ける受付手段と、当該受け付けた検診者情報に基づいて、受診者それぞれに対して順次断層撮影を行うことができるように予定情報を作成する予定作成手段と、を備え、第三予定時間帯よりも第二予定時間帯が長く設定されている場合には、予定作成手段は、新たに受け付けた受診者の第三予定時間帯の始端が予定情報格納手段に格納されている最も遅い第三予定時間帯の終端に対応するように、当該新たな受診者の予定情報を作成することも好ましい。新たに受け付けた受診者の第三予定時間帯の始端、すなわち断層撮影を開始する予定時刻を、既に格納されている最も遅い第三予定時間帯の終端、すなわち予定が入っている断層撮影の終了予定時刻に対応させて予定情報を作成するので、効率的に陽電子放出型断層撮影装置を運用できる。
【０００９】
また本発明の検診管理システムでは、陽電子放出型断層撮影装置の撮影進捗状況を取得する第三の端末から送信される当該取得した撮影進捗状況に基づいて第三実績時間帯を、第一の端末から送信される複数の受診者ごとの薬剤投与状況に基づいて第一実績時間帯及び第二実績時間帯を、それぞれ特定して実績情報格納手段に格納する実績作成手段を備え、第三実績時間帯が、対応する受診者の第三予定時間帯よりも長くなった場合に、予定変更手段は、既に第一実績時間帯又は第二実績時間帯が実績情報格納手段に格納されている受診者の場合には、当該格納されている受診者に対応する第二予定時間帯の終端を、当該長くなった第三実績時間帯に対応するように予定情報を変更し、第一実績時間帯が未だ実績情報格納手段に格納されていない受診者の場合には、当該格納されていない受診者に対応する第二予定時間帯の終端が当該長くなった第三実績時間帯に対応するように、当該格納されていない受診者に対応する第一予定時間帯の始端をずらして予定情報を変更することも好ましい。第三実績時間帯が対応する第三予定時間帯よりも長くなった場合、すなわち陽電子放出型断層撮影装置における断層撮影時間が予定よりも長くかかってしまった場合に、既に第一実績時間帯又は第二実績時間帯が格納されている受診者、すなわち既に薬剤の投与が終わっている受診者に対しては予定時間帯の終端をずらして安静時間を長くし、第一実績時間帯が未だ格納されていない受診者、すなわち薬剤の投与を行っていない受診者に対しては薬剤の投与を遅らせるので、特定の受診者に不利益が集中しないように各受診者の予定情報を適正化できる。
【００１０】
また本発明の検診管理システムでは、実績作成手段は、第一実績時間帯の終端を第二実績時間帯の始端とし、指示作成手段が第二の端末に送信する所定の情報を作成するまでの間、単位時間ごとに第二実績時間帯の終端をずらして実績情報を更新することも好ましい。第二の端末に送信する所定の情報を作成するまでの間、単位時間ごとに実績情報を更新するので、現状に即して第二実績時間帯を更新ができる。
【００１１】
また本発明の検診管理システムでは、陽電子放出型断層撮影装置が複数用いられ、複数の受診者に対して当該複数の陽電子放出型断層撮影装置のいずれかを利用して順次断層撮影を行う場合であって、第三予定時間帯は、複数の陽電子放出型断層撮影装置のいずれかにおいて断層撮影を行う予定を示し、第三実績時間帯は、複数の陽電子放出型断層撮影装置のいずれかにおいて断層撮影を行った実績を示す場合において、予定変更手段は、予定情報と実績情報とを比較した結果に基づいて、受診者が対応する第三予定時間帯が示す陽電子放出型断層撮影装置を用いるよりも、他の陽電子放出型断層撮影装置を用いるほうが早く撮影終了するかどうかを判断し、当該判断の結果に基づいて予定情報を変更することも好ましい。陽電子放出型断層撮影装置が複数用いられて順次断層撮影を行う場合に、予定されていた陽電子放出型断層撮影装置で撮影を行うよりも他の陽電子放出型断層撮影装置で撮影を行ったほうが早く撮影終了する場合には、他の陽電子放出型断層撮影装置で撮影を行うように予定情報を変更できる。
【００１２】
また本発明の検診管理システムでは、予定情報格納手段には、複数の陽電子放出型断層撮影装置のそれぞれに対してどの受診者をどの時間帯で撮影する予定であるかを示す待ち行列情報が予定情報として格納されており、予定変更手段が予定情報と実績情報とを比較した結果、複数の陽電子放出型断層撮影装置の内の一の陽電子放出型断層撮影装置の撮影に遅延が生じていると判断した場合に、予定変更手段は、当該遅延が生じた一の陽電子放出型断層撮影装置においてその後に断層撮影を行う受診者の撮影終了予定時刻、当該その後に断層撮影を行う受診者を他の陽電子放出型断層撮影装置の待ち行列に加えた場合の撮影終了予定時刻、のそれぞれを算出し、当該算出したそれぞれの撮影終了予定時刻に基づいて、当該その後に断層撮影を行う受診者の撮影終了時刻が最も早くなるように予定情報を変更することも好ましい。遅延が生じた一の陽電子放出型断層撮影装置においてその後に断層撮影を行う受診者の撮影終了予定時刻と、その後に断層撮影を行う受診者を他の陽電子放出型断層撮影装置の待ち行列に加えた場合の撮影終了予定時刻とを比較して撮影終了時刻が最も早くなるように予定情報を変更するので、一の陽電子放出型断層撮影装置における遅延の影響を最小限にするように受診者を誘導できる。
【００１３】
また本発明の検診管理システムでは、予定情報格納手段には、複数の陽電子放出型断層撮影装置のそれぞれに対してどの受診者をどの時間帯で撮影する予定であるかを示す待ち行列情報が予定情報として格納されており、陽電子放出型断層撮影装置の撮影進捗状況を取得する第三の端末から送信される当該撮影進捗状況に基づいて、陽電子放出型断層撮影装置が故障したかどうかを示す故障情報を作成して実績情報格納手段に格納する実績作成手段を備え、予定変更手段が前記故障情報に基づいて、複数の陽電子放出型断層撮影装置の内の一の陽電子放出型断層撮影装置が故障していると判断した場合に、予定変更手段は、当該故障した一の陽電子放出型断層撮影装置においてその後に断層撮影を行う受診者を他の陽電子放出型断層撮影装置の待ち行列に加えて予定情報を変更することも好ましい。故障した一の陽電子放出型断層撮影装置においてその後に断層撮影を行う受診者を他の陽電子放出型断層撮影装置の待ち行列に加えて予定情報を変更するので、一の陽電子放出型断層撮影装置の故障によって、受診者の断層撮影に与える影響を低減することができる。
【００１４】
また本発明の検診管理システムでは、予定変更手段は、既に第一実績時間帯又は第二実績時間帯が実績情報格納手段に格納されている受診者が、故障していない陽電子放出型断層撮影装置において順次断層撮影可能なようにそれぞれの第三予定時間帯を再設定し、当該再設定した第三予定時間帯に応じて既に第一実績時間帯又は第二実績時間帯が実績情報格納手段に格納されている受診者それぞれの第二予定時間帯を再設定し、未だ第一実績時間帯が実績情報格納手段に格納されていない受診者の第三予定時間帯を、既に第一実績時間帯又は第二実績時間帯が実績情報格納手段に格納されている受診者の再設定された第三予定時間帯の後になるように再設定し、当該再設定した第三予定時間帯に応じて未だ第一実績時間帯が実績情報格納手段に格納されていない受診者それぞれの第二予定時間帯を再設定することも好ましい。既に第一実績時間帯又は第二実績時間帯が実績情報格納手段に格納されている受診者の断層撮影が終わった後に、未だ第一実績時間帯が実績情報格納手段に格納されていない受診者の断層撮影を行うように予定情報を再設定するので、投与した薬剤の効果の低減を極力避けつつ、効率的な断層撮影のスケジューリングが可能となる。
【発明の効果】
【００１５】
本発明の検診管理システムを用いると、陽電子放出型断層撮影装置を用いて断層撮影を行う際の受診者を適切に誘導できる。
【発明を実施するための最良の形態】
【００１６】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１７】
本実施形態の検診管理システムを利用するＰＥＴ（Ｐｏｓｉｔｒｏｎ  Ｅｍｉｓｓｉｏｎ  Ｔｏｍｏｇｒａｐｈｙ）検診センターの概要について図１を用いて説明する。図１はＰＥＴ検診センター１ａの概要を示した図である。このＰＥＴ検診センター１ａは、１階から３階の各階に分かれて構成されており、１階には受付が、２階には薬剤投与室２４〜２６（処置領域）、安静ベッド２７〜３８（安静領域）、及びＰＥＴ撮影室３９〜４１が、３階には身長体重測定室２１、ＣＴ（Ｃｏｍｐｕｔｅｒｉｚｅｄ  Ｔｏｍｏｇｒａｐｈｙ）室２２、ＭＲＩ（Ｍａｇｎｅｔｉｃ  Ｒｅｓｏｎａｎｃｅ  Ｉｍａｇｉｎｇ）室２３が、それぞれ配置されている。
【００１８】
このＰＥＴ検診センター１ａを利用する受診者は、１階の受付で受付を済ませて３階に上る。３階に行った受診者は、身長体重測定室２１で身長及び体重を測定する。受診者はＣＴ室２２でコンピュータ断層撮影法による撮影を行い、ＭＲＩ室２３で磁気共鳴影像法による撮影を行って２階に下りる。コンピュータ断層撮影法によって撮影を行った際に、体内の金属片などが発見された受診者は磁気共鳴影像法による撮影を受けることができない。
【００１９】
２階に行った受診者は、薬剤投与室２４〜２６のいずれかでＦＤＧの静脈注射を受ける。その後受診者は、安静ベッド２７〜３８のいずれかで所定時間安静にした後、排尿をし、ＰＥＴ撮影室３９〜４１のいずれかで陽電子放出型断層撮影装置（ＰＥＴ装置）を用いて断層撮影を行う。
【００２０】
引き続いて、ＰＥＴ検診センター１ａの各所に配置されている端末と検診管理システム１０との情報のやり取りについて説明する。図１に示すように、ＰＥＴ検診センター１ａの１階の受付には端末２０１が、身長体重測定室２１には端末２０２が、ＣＴ室２２には端末２０３が、ＭＲＩ室２３には端末２０４がそれぞれ配置されている。これらの端末２０１〜２０４は、ＬＡＮを介して検診管理システム１０と情報の送受信が可能なように構成されているコンピュータ端末である。従って、受診者が受付で受け付けを済ませると、その情報が端末２０１から検診管理システム１０に送信され、検診管理システム１０の検査情報格納部１５０（詳細は後述する）に格納される。受診者は受付でＩＣカードを受け取り、そのＩＣカードを各端末にかざすと自身のＩＤが検診センターに送信されるようになっている。従って、各領域で受診していることを示す情報を検診管理システム１０に送信することができる。受診者が身長体重測定室２１で身長及び体重の測定を行うと、その情報が端末２０２から検診管理システム１０に送信され、検診管理システム１０の検査情報格納部１５０（詳細は後述する）に格納される。受診者がＣＴ室２２及びＭＲＩ室２３でそれぞれの撮影を行うと、その情報が端末２０３及び端末２０４から検診管理システム１０に送信され、検診管理システム１０の検査情報格納部１５０（詳細は後述する）に格納される。
【００２１】
ＰＥＴ検診センター１ａの２階においては、薬剤投与室２４〜２６の近傍に処置室端末２０５（第一の端末）が、安静ベッド２７〜３８のそれぞれにベッド端末２０６〜２１７（第二の端末）が、ＰＥＴ撮影室３９〜４１のそれぞれにＰＥＴ端末２１８〜２２０（第三の端末）がそれぞれ配置されている。２階に受診者が行くと自動受付機としての処置室端末２０５でＰＥＴ撮影の受け付けを行う。この情報は処置室端末２０５から検診管理システム１０へ送信される。ここで、３階での検査等が終わっていない場合には検診管理システム１０から処置室端末２０５へその旨の情報が送信されて受診者に通知される。３階での検査等が終わっていれば、検診管理システム１０から処置室端末２０５へ薬剤投与の時間が送信されて受診者に通知される。その薬剤投与の時間に薬剤投与室２４〜２６での薬剤投与が終了すると、その情報は処置室端末２０５から検診管理システム１０へ送信される。検診管理システム１０から処置室端末２０５へは、その受診者が安静ベッド２７〜３８のいずれで安静待機するかの指示が送信される。受診者が安静ベッド２７〜３８のいずれかで安静待機をし、所定の時間が経過するとその安静ベッド２７〜３８に配置されているベッド端末２０６〜２１７のいずれかに対して、排尿をしてＰＥＴ撮影室３９〜４１のいずれかの前で待機する旨の指示が送信される。受診者がＰＥＴ撮影室３９〜４１で撮影が完了すると、その旨の情報がＰＥＴ端末２１８〜２２０から検診管理システム１０へ送信される。また、ＰＥＴ端末２１８〜２２０から検診管理システム１０へは、撮影データも送信される。
【００２２】
引き続いて、検診管理システム１０について図２を用いて説明する。検診管理システム１０はＬＡＮ１７を介して、処置室端末２０５、ベッド端末２０６〜２１７、ＰＥＴ端末２１８〜２２０のそれぞれと情報の送受信が可能なように構成されている。検診管理システム１０は、物理的には図３に示すように、ＣＰＵ（中央処理装置）１０ａ、ＲＡＭ（Ｒａｎｄｏｍ  Ａｃｃｅｓｓ  Ｍｅｍｏｒｙ）などのメモリ１０ｂ、ハードディスクといった格納装置１０ｃ、データの送受信を行う通信カードといった送受信装置１０ｄ、マウスやキーボードといった入力装置１０ｅ、ディスプレイといった表示装置１０ｆ、記録媒体９に記録されている情報を読み取ることが可能なフレキシブルディスクドライブ装置、ＣＤ−ＲＯＭドライブ装置、磁気テープドライブ装置といった読取装置１０ｇを備えたコンピュータシステムとして構成されている。また、ＣＰＵ１０ａ、メモリ１０ｂ、格納装置１０ｃ、送受信装置１０ｄ、入力装置１０ｅ、表示装置１０ｆは、バス１０ｈを介して各種信号の入出力が可能なように電気的に接続されている。
【００２３】
図２に戻って、検診管理システム１０は機能的な構成要素として、受信部１０１（受付手段）と、予定作成部１０２（予定作成手段）と、実績作成部１０３（実績作成手段）と、予定変更部１０４（予定変更手段）と、指示作成部１０５（指示作成手段）と、送信部１０６（指示送信手段）と、検査情報格納部１５０と、実績情報格納部１５１（実績情報格納手段）と、予定情報格納部１５２（予定情報格納手段）と、を備える。引き続いて、各構成要素について詳細に説明する。
【００２４】
受信部１０１は、ＰＥＴ検診センター１ａ内にある各端末からＬＡＮ１７を介して各種の情報を受信する部分である。より具体的には、受信部１０１は、端末２０１から送信される受診者が受け付けを済ませた情報、端末２０２から送信される受診者の身長及び体重の情報、端末２０３から送信される受診者のＣＴの結果情報（撮影が済んだか、撮影中かの情報を含む）、端末２０４から送信される受診者のＭＲＩの結果情報（撮影が済んだか、撮影中かの情報を含む）、処置室端末２０５から送信される受診者が薬剤投与中か薬剤投与が完了したかの情報、ＰＥＴ端末２１８〜２２０から送信されるＰＥＴの結果情報を受信するとそれらを受診者ごとに関連付けて検査情報格納部１５０に格納する。
【００２５】
図４に、検査情報格納部１５０に格納される情報の一例を示す。図４に示す例によれば、検査情報格納部１５０には「受診者」「予約時刻」「受付時刻」「身長体重」「ＣＴ」「ＭＲＩ」「薬剤投与」「ＰＥＴ」「診断」の各項目が関連付けられて格納されている。「受診者」は各受診者を識別するためのＩＤが格納されている項目である。「予約時刻」は各受診者が予約をした時刻であり、「受付時刻」は実際に受け付けを済ませた時刻である。「身長体重」は身長体重測定室２１で測定した身長と体重が格納されている。「ＣＴ」はＣＴ室２２での状況を示す項目であり、「ＭＲＩ」はＭＲＩ室２３での状況を示す項目である。「ＣＴ」「ＭＲＩ」において、「未」とあるのは受診者がまだその領域に入っていないことを示し、「中」とあるのは受信者がその領域に入って撮影中であることを示し、「済み」とあるのは撮影が終了したことを示す。「薬剤投与」は薬剤投与室２４〜２６で薬剤投与が終わっているかどうかを示し、「ＰＥＴ」はＰＥＴ撮影室３９〜４１でＰＥＴ撮影が終了しているかどうかを示す。「診断」は全ての検査項目が終了した後に医師の診断が終了したかどうかを示す。尚、図４には示していないが、検査情報格納部１５０にはＣＴ室２２、ＭＲＩ室２３、及びＰＥＴ撮影室３９〜４１で撮影した画像データも格納されている。
【００２６】
図２に戻って、受信部１０１は、端末２０１から送信される受診者が受け付けを済ませた情報（受診者情報）を受信すると、その情報を予定作成部１０２に出力する。受信部１０１は、処置室端末２０５から受診者がＰＥＴ撮影の受け付けをした旨の情報を受信すると、その情報を予定作成部１０２に出力する。受信部１０１は、処置室端末２０５から受診者に薬剤投与をした旨の情報を受信すると、その情報を実績作成部１０３に出力する。受信部１０１は、ＰＥＴ端末２１８〜２２０から受診者のＰＥＴ撮影が終了した旨の情報を受信すると、その情報を実績作成部１０３に出力する。
【００２７】
予定作成部１０２は、受信部１０１から出力される受診者が受け付けを済ませた情報（受診者情報）に基づいて、受診者それぞれに対して順次断層撮影を行うことができるように予定情報を作成し、その作成した予定情報を予定情報格納部１５２に格納する部分である。
【００２８】
図５に、予定情報格納部１５２に格納される情報の一例を示す。図５では、受診者Ａ〜Ｘが順次受け付けを済ませて、ＰＥＴ撮影室３９〜４１のいずれかにおいてＰＥＴ撮影をする順番待ち行列に組み込まれている様子を示している。図５の例では、ＰＥＴ撮影室３９〜４１のそれぞれを系列の先頭として、安静ベッド２７〜３８及び薬剤投与室２４〜２６がそれぞれの系列に割り当てられている。例えば、受診者Ａは、９時００分〜９時０５分の間の時間帯（第一予定時間帯）で薬剤投与室２４において薬剤投与を受け、９時０５分〜１０時００分の間の時間帯（第二予定時間帯）で安静ベッド２７において安静にし、１０時０５分〜１０時２０分の間の時間帯（第三予定時間帯）でＰＥＴ撮影室３９においてＰＥＴ撮影する予定になっていることを示している。
【００２９】
実績作成部１０３は、受信部１０１から出力される情報に基づいて受診者それぞれの実績情報を作成し、実績情報格納部１５１に格納する部分である。より具体的には、実績作成部１０３は、各ＰＥＴ撮影室３９〜４１においてＰＥＴ撮影装置の撮影進捗状況を取得したＰＥＴ端末２１８〜２２０から送信されるＰＥＴ撮影が終了した旨の情報（撮影進捗状況）に基づいて、各ＰＥＴ撮影室３９〜４１のＰＥＴ撮影装置において断層撮影を行った実績の時間帯（第三実績時間帯）を実績情報として作成する。また、実績作成部１０３は、処置室端末２０５から送信される受診者ごとの薬剤投与状況を示す情報に基づいて、検診者それぞれが薬剤投与を受けた実績の時間帯（第一実績時間帯）及び検診者それぞれが安静にした実績の時間帯（第二実績時間帯）を実績情報として作成する。
【００３０】
図６に、実績情報格納部１５１に格納される情報の一例を示す。図６では、受診者Ａ〜Ｆが順次薬剤投与を受けて、安静ベッドで安静にしている実績を示している。図６の例では図５と同様に、ＰＥＴ撮影室３９〜４１のそれぞれを系列の先頭として、安静ベッド２７〜３８及び薬剤投与室２４〜２６がそれぞれの系列に割り当てられている。例えば、受診者Ａは、９時００分〜９時０５分の間の時間帯（第一実績時間帯）で薬剤投与室２４において薬剤投与を受け、９時０５分〜の時間帯（第二実績時間帯）で安静ベッド２７において安静にしている状態にあることを示している。この第二実績時間帯は、薬剤投与を受けた時間帯の終端をその始端とし、後に各ベッド端末２０６〜２１７に対して所定の指示情報を送信するまでの間、単位時間である５分ごとにその終端がずらされている。
【００３１】
図２に戻って、予定変更部１０４は予定情報格納部１５２に格納されている予定情報と実績情報格納部１５１に格納されている実績情報とを比較した結果に基づいて、予定情報格納部１５２に格納されている予定情報を変更する部分である。
【００３２】
予定変更部１０４が予定情報を変更する第一の態様は、ＰＥＴ撮影を行っている時間帯（第三実績時間帯）が、対応する受診者の第三予定時間帯よりも長くなった場合に、既に第一実績時間帯又は第二実績時間帯が実績情報格納部１５１に格納されている受診者の場合には、当該格納されている受診者に対応する第二予定時間帯の終端を、当該長くなった第三実績時間帯に対応するように予定情報を変更し、第一実績時間帯が未だ実績情報格納部１５１に格納されていない受診者の場合には、当該格納されていない受診者に対応する第二予定時間帯の終端が当該長くなった第三実績時間帯に対応するように、当該格納されていない受診者に対応する第一予定時間帯の始端をずらして予定情報を変更するものである。
【００３３】
予定変更部１０４が予定情報を変更するこの第一の態様の具体例を図７及び図８を用いて説明する。図７は上述の図６の状態からさらに時間が進んで、受診者ＡがＰＥＴ撮影を行っている時点での実績情報を示している。受診者ＡのＰＥＴ撮影は予定では１０時０５分〜２０分までであったが（図５参照）、図７の例ではその撮影時間が５分遅延したことを示している。予定変更部１０４は、予定情報格納部１５２に格納されている予定情報（図５参照）と、実績情報格納部１５１に格納されている実績情報とを比較してこの５分の遅延を認識する。予定変更部１０４は、図５に示す予定情報の第一系列におけるＰＥＴ撮影の時間帯を５分づつずらす。予定変更部１０４は、そのずらしたＰＥＴ撮影の時間帯にあわせて安静ベッドでの安静時間を変更し、必要であれば薬剤投与の時間帯もあわせて変更する。図８は、予定変更部１０４が図５の予定情報を変更した状態を示している。図８の例では、受診者Ａの次にＰＥＴ撮影をする予定の受診者Ｄの時間帯を５分ずらして設定し、その後順次受診者Ｅ〜ＶのＰＥＴ撮影時間帯をずらして設定している。次に、再設定したＰＥＴ撮影の時間帯に合わせて安静ベッド２７〜３６での安静時間帯を変更して設定している。そして、その安静時間帯に合わせて薬剤投与の時間帯を設定している。
【００３４】
予定変更部１０４が予定情報を変更する第二の態様は、予定情報と実績情報とを比較した結果に基づいて、受診者が対応する第三予定時間帯が示すＰＥＴ撮影装置を用いるよりも、他のＰＥＴ撮影装置を用いるほうが早く撮影終了するかどうかを判断し、当該判断の結果に基づいて予定情報を変更するものである。より具体的には、遅延が生じた一のＰＥＴ装置においてその後に断層撮影を行う受診者の撮影終了予定時刻、当該その後に断層撮影を行う受診者を他のＰＥＴの待ち行列に加えた場合の撮影終了予定時刻、のそれぞれを算出し、当該算出したそれぞれの撮影終了予定時刻に基づいて、当該その後に断層撮影を行う受診者の撮影終了時刻が最も早くなるように予定情報を変更するものである。
【００３５】
予定変更部１０４が予定情報を変更するこの第二の態様の例を図９及び図１０を用いて説明する。図９は上述の図６の状態からさらに時間が進んで、受診者ＡがＰＥＴ撮影を行っている時点での実績情報を示している。受診者ＡのＰＥＴ撮影は予定では１０時０５分〜２０分までであったが（図５参照）、図９の例ではその撮影時間が２０分遅延したことを示している。予定変更部１０４は、予定情報格納部１５２に格納されている予定情報（図５参照）と、実績情報格納部１５１に格納されている実績情報とを比較してこの２０分の遅延を認識する。予定変更部１０４は、図５に示す予定情報の第一系列におけるＰＥＴ撮影の時間帯を２０分づつずらす。予定変更部１０４は、そのずらしたＰＥＴ撮影の時間帯にあわせて安静ベッドでの安静時間を変更し、必要であれば薬剤投与の時間帯もあわせて変更する。図１０は、予定変更部１０４が図５の予定情報を変更した状態を示している。図１０において「Ｖ１」は、受診者Ｖを示している。ここで、予定変更部１０４は、第一系列の最後の受診者である受診者Ｖが他のＰＥＴ撮影装置で撮影を行う場合の所要時間を試算するために、図１０中の「Ｖ２」のように終了予定時刻を算出する。図１０の例では、「Ｖ１」よりも「Ｖ２」のほうが５分早く撮影が終了するので、予定変更部１０４は、受診者Ｖを「Ｖ２」の予定情報に設定する。
【００３６】
予定変更部１０４が予定情報を変更する第三の態様は、実績情報格納部１５１に格納されている情報に基づいて、予定変更部１０４が複数のＰＥＴ撮影装置の内の一のＰＥＴ撮影装置が故障していると判断した場合に、予定変更部１０４が、当該故障した一のＰＥＴ撮影装置においてその後に断層撮影を行う受診者を他のＰＥＴ撮影装置の待ち行列に加えて予定情報を変更するものである。より具体的には、予定変更部１０４が、既に第一実績時間帯又は第二実績時間帯が実績情報格納部１５１に格納されている受診者が、故障していないＰＥＴ撮影装置において順次断層撮影可能なようにそれぞれの第三予定時間帯を再設定し、当該再設定した第三予定時間帯に応じて既に第一実績時間帯又は第二実績時間帯が実績情報格納部１５１に格納されている受診者それぞれの第二予定時間帯を再設定し、未だ第一実績時間帯が実績情報格納部１５１に格納されていない受診者の第三予定時間帯を既に第一実績時間帯又は第二実績時間帯が実績情報格納部１５１に格納されている受診者の再設定された第三予定時間帯の後になるように再設定し、当該再設定した第三予定時間帯に応じて未だ第一実績時間帯が実績情報格納部１５１に格納されていない受診者それぞれの第二予定時間帯を再設定するものである。
【００３７】
予定変更部１０４が予定情報を変更するこの第三の態様の例を図１１〜図１５を用いて説明する。図１１は上述の図６の状態からさらに時間が進んで、受診者ＡがＰＥＴ撮影を行っている時点での実績情報を示している。図１１では、この受診者Ａの断層撮影後にＰＥＴ撮影室３９に設置されたＰＥＴ撮影装置が故障したことを示している。図１１以降においては、図中の横棒はＰＥＴ撮影装置が故障して使えない状態であること、又は使えない状態であると想定されることを示す。予定変更部１０４は、この実績情報格納部１５１に格納されている実績情報に基づいて、ＰＥＴ撮影室３９に設置されたＰＥＴ撮影装置が故障していると判断する。予定変更部１０４は、図５に示す予定情報のＰＥＴ撮影室３９の欄に横棒を入れて、以降の使用ができなくなったことを示すようにする。更に予定変更部１０４は、既に安静ベッドに安静状態になっている受診者の情報はそのままにし、既にＰＥＴ撮影を行っている受診者の情報もそのままにして、その他の待ち行列の情報を一旦削除して、予定情報を図１２に示すような状態とする。図１２の状態において次にＰＥＴ撮影室４０又は４１においてＰＥＴ撮影可能な受診者は受診者Ｄ、Ｇ、Ｈ、Ｉであるから、予定変更部１０４は、最も待ち時間の長い受診者Ｄを優先的にＰＥＴ撮影室４０に割り付け、残りの受診者を順次ＰＥＴ撮影室４０又は４１にスケジューリングして、予定情報を図１３に示すような状態とする。その際に、受診者Ｈ及びＩについては、安静ベッド３３及び３５での安静時間も延長する。予定変更部１０４は、既に安静ベッドを利用している受診者Ｊ、Ｋ、Ｌ、Ｍ、Ｎ、Ｏ、Ｐ、Ｑ、Ｒについて順次同様に、ＰＥＴ撮影及び安静のスケジューリングをして、予定情報を図１４に示すような状態とする。予定変更部１０４は、残りの受診者Ｓ、Ｔ、Ｕ、Ｖ、Ｗ、Ｘについて、受診者Ｑの後にＰＥＴ撮影室４０での撮影を、受診者Ｒの後にＰＥＴ撮影室４１での撮影をそれぞれ可能とするように、安静時間の確保及びそれに応じた薬剤投与時間の確保を行って、予定情報を図１５に示すような状態に再設定する。
【００３８】
図２に戻って、指示作成部１０５は、予定情報格納部１５２に格納されている予定情報に基づいて処置室端末２０５又はベッド端末２０６〜２１７に送信する所定の指示情報を作成する部分である。より具体的には、例えば図５に示す予定情報の場合には、９時００分の少し前（例えば１０分前）に、処置室端末２０５に送信するための「受診者Ａが９時００分に薬剤投与予定。」であることを示す指示情報を作成する。また、１０時００分にベッド端末２７に送信するための「受診者Ａ様、お時間ですのでトイレに行って、ＰＥＴ撮影室３９の前でお待ちください。」といった指示情報を作成する。指示作成部１０５は作成した指示情報を送信部１０６に出力する。
【００３９】
送信部１０６は、指示作成部１０５が作成した指示情報を処置室端末２０５又はベッド端末２０６〜２１７に送信する部分である。上述の例であれば、「受診者Ａが９時００分に薬剤投与予定。」であることを示す指示情報を処置室端末２０５に送信し、「受診者Ａ様、お時間ですのでトイレに行って、ＰＥＴ撮影室３９の前でお待ちください。」といった指示情報をベッド端末２７に送信する。
【００４０】
引き続いて、本実施形態の検診管理システム１０の動作について説明する。図１６は、検診管理システム１０の動作を説明するためのフローチャートである。検診管理システム１０の受信部１０１が処置室端末２０５及びＰＥＴ端末２１８〜２２０から上述のように所定の情報を受信する（ステップＳ０１）。受信部１０１は受信した情報を実績作成部１０３に出力する。実績作成部１０３は、その情報に基づいて実績情報を作成して実績情報格納部１５１に格納する（ステップＳ０２）。
【００４１】
予定変更部１０４は、予定情報格納部１５２に格納されている予定情報と、実績情報格納部１５１に格納されている実績情報との間に乖離がないかどうかを判断する（ステップＳ０３）。予定変更部１０４は予定情報を実績情報との間に乖離がある場合には、予定情報格納部１５２に格納されている予定情報を変更する（ステップＳ０４）。
【００４２】
指示作成部１０５は、予定情報格納部１５２に格納されている予定情報に基づいて、指示情報を出力するタイミングかどうかを判断する（ステップＳ０５）。指示情報を出力するタイミングになっていれば、指示作成部１０５は指示情報を作成する（ステップＳ０６）。指示作成部１０５は、作成した指示情報を送信部１０６に出力する。送信部１０６は指示情報を処置室端末２０５又はベッド端末２０６〜２１７に送信する（ステップＳ０７）。
【図面の簡単な説明】
【００４３】
【図１】本実施形態の検診管理システムが適用されるＰＥＴ検診センターの概要を示す図である。
【図２】本実施形態の検診管理システムの構成を示す図である。
【図３】本実施形態の検診管理システムの構成を示す図である。
【図４】図２の検査情報格納部に格納されている情報の例を示す図である。
【図５】図２の予定情報格納部に格納されている情報の例を示す図である。
【図６】図２の実績情報格納部に格納されている情報の例を示す図である。
【図７】図２の実績情報格納部に格納されている情報の例を示す図である。
【図８】図２の予定情報格納部に格納されている情報の例を示す図である。
【図９】図２の実績情報格納部に格納されている情報の例を示す図である。
【図１０】図２の予定変更部が予定情報を変更する様子を説明するための図である。
【図１１】図２の実績情報格納部に格納されている情報の例を示す図である。
【図１２】図２の予定変更部が予定情報を変更する様子を説明するための図である。
【図１３】図２の予定変更部が予定情報を変更する様子を説明するための図である。
【図１４】図２の予定変更部が予定情報を変更する様子を説明するための図である。
【図１５】図２の予定変更部が予定情報を変更する様子を説明するための図である。
【図１６】本実施形態の検診管理システムの動作を説明するためのフローチャートである。
【符号の説明】
【００４４】
１０…検診管理システム、１０１…受信部、１０２…予定作成部、１０３…実績作成部、１０４…予定変更部、１０５…指示作成部、１０６…送信部、１５０…検査情報格納部、１５１…実績情報格納部、１５２…予定情報格納部、１７…ＬＡＮ、２０５…処置室端末、２０６〜２１７…ベッド端末、２１８〜２２０…ＰＥＴ端末。
【図１】
2005092458.tif 000003
【図２】
2005092458.tif 000004
【図３】
2005092458.tif 000005
【図４】
2005092458.tif 000006
【図５】
2005092458.tif 000007
【図６】
2005092458.tif 000008
【図７】
2005092458.tif 000009
【図８】
2005092458.tif 000010
【図９】
2005092458.tif 000011
【図１０】
2005092458.tif 000012
【図１１】
2005092458.tif 000013
【図１２】
2005092458.tif 000014
【図１３】
2005092458.tif 000015
【図１４】
2005092458.tif 000016
【図１５】
2005092458.tif 000017
【図１６】
2005092458.tif 000018